(57)【特許請求の範囲】
【請求項１】
遊技機に使用される遊技媒体が搬送される搬送路と、該搬送路の両側部に互いに対向して設けられ、遊技媒体をそれぞれと対応する遊技機に補給するための第１の補給口、及び第２の補給口と、前記搬送路に沿って搬送される遊技媒体を第１及び第２の補給口に導くための案内部材と、を備える遊技媒体補給装置において、
前記案内部材は、第１の補給口に遊技媒体を導くための案内部のうちの前記搬送路の上流側に近い部分を形成する第１の案内部を備える第１の案内部材と、
第２の補給口に遊技媒体を導くための案内部のうちの前記搬送路の上流側に近い部分を形成する第２の案内部を備える第２の案内部材と、
第１の補給口に遊技媒体を導くための案内部のうちの第１の案内部以外の部分を形成する第３の案内部を備える第３の案内部材と、
第２の補給口に遊技媒体を導くための案内部のうちの第２の案内部以外の部分を形成する第４の案内部を備える第４の案内部材と、を具備し、
第１と第３の案内部から成る第１の補給口へ遊技媒体を導くための案内部は、平面方向から見て第２と第４の案内部から成る第２の補給口へ遊技媒体を導くための案内部に対して交差しており、
第１と第３の案内部材、及び第２と第４の案内部材は、所定の待機位置から前記搬送路と接触又は接近する案内位置に下降して、第１と第３の案内部材により遊技媒体を第１の補給口に導き、第２と第４の案内部材により遊技媒体を第２の補給口に導くことを特徴とする遊技媒体補給装置。
【請求項２】
第１の案内部材と第３の案内部材が連動することにより、両者が前記待機位置と前記案内位置の間を移動し、第２の案内部材と第４の案内部材が連動することにより、両者が前記待機位置と前記案内位置の間を移動することを特徴とする請求項１に記載の遊技媒体補給装置。
【請求項３】
第３の案内部材と第４の案内部材が互いに結合していることを特徴とする請求項１に記載の遊技媒体補給装置。
【請求項４】
第１の案内部材が動作したときにその動作に連動して第３の案内部材が動作して、両者が前記待機位置と前記案内位置との間を移動し、第２の案内部材が動作したときにその動作に連動して第４の案内部材が動作して、両者が前記待機位置と前記案内位置との間を移動することを特徴とする請求項１、２、又は３に記載の遊技媒体補給装置。
【請求項５】
第１の案内部材が前記待機位置から前記案内位置に移動するときに、第１の案内部材が第３の案内部材に係合して第３の案内部材を前記案内位置に移動させ、第２の案内部材が前記待機位置から前記案内位置に移動するときに、第２の案内部材が第４の案内部材に係合して第４の案内部材を前記案内位置に移動させることを特徴とする請求項４に記載の遊技媒体補給装置。
【請求項６】
第３の案内部材と第４の案内部材が互いに分離しており、第１及び第３の案内部材のうちのいずれか一方、又は予め定めた一方の動作によって他方が連動することにより両者が前記待機位置と前記案内位置との間を移動し、第２と第４の案内部材のうちのいずれか一方、又は予め定めた一方の動作によって他方が連動することにより両者が前記待機位置と前記案内位置との間を移動することを特徴とする請求項１又は２に記載の遊技媒体補給装置。
【発明の詳細な説明】
【０００１】
【発明の属する技術分野】
この発明は、遊技機に使用されるメダルやパチンコ玉等を搬送路によって搬送し、案内部材によりメダル等を遊技機や遊技媒体貸機等に補給するための遊技媒体補給装置に関する。
【０００２】
【従来の技術】
上記従来の遊技媒体補給装置の一例を図１８を参照して説明する（特開平１０−２４１４３号公報参照）。この遊技媒体補給装置は、同図に示すように、メダルＭを使用する複数の遊技機が幅方向に並べられた第１の遊技機列６０４ａと第２の遊技機列６０４ｂとの接合部に沿って配置されたメダル搬送手段６０５と、第１の遊技機列６０４ａに設けられている対応する各遊技機にメダルＭを供給するための第１メダル取り込み部６１４、・・・と、第２の遊技機列６０４ｂに設けられている対応する各遊技機にメダルＭを供給するための第２メダル取り込み部６１５、・・・と、メダル搬送手段６０５により搬送されているメダルＭを第１及び第２メダル取り込み部６１４、６１５に案内する案内部材６１６、・・・と、を設けてあり、案内部材６１６は、一方の案内面を第１メダル取り込み部６１４側に指向させた状態と、他方の案内面を第２メダル取り込み部６１５側に指向させた状態と、に変更可能なようにしたものである。
【０００３】
メダル搬送手段６０５により搬送されてくるメダルＭを図１８に示す左端の第１メダル取り込み部６１４に供給するときは、駆動手段６１７を短縮状態となるように駆動する。これにより、作動レバー６２４が反時計方向に回転し、この回転により、作動レバー６２４と係合する案内部材６１６が揺動軸６２０を中心にして時計方向に回転して一方の案内面が第１メダル取り込み部６１４側に指向した状態となる。この状態となると、メダルＭを図１８に示す左端の第１メダル取り込み部６１４に供給することができる。
メダルＭを図１８に示す中央の第２メダル取り込み部６１５に供給するときは、駆動手段６１７を伸長状態となるように駆動する。これにより、案内部材６１６の他方の案内面が第２メダル取り込み部６１５側に指向した状態となり、メダルＭをその第２メダル取り込み部６１５に供給することができる。
また、メダル搬送手段６０５により搬送されてくるメダルＭを案内部材６１６により振り分けられることなく搬送方向の下流側に搬送するときは、その案内部材６１６に対して設けられている変位手段６１８を上下方向に伸長する状態に駆動させる。これにより、取付基板６１９が水平軸６３０を中心にして上方に揺動し、案内部材６１６がメダル搬送手段６０５の上面から所定の間隔を隔てた状態となり、メダルＭを下流側に搬送することができる。
【０００４】
次に、従来の遊技媒体補給装置の他の一例を図１９及び図２０を参照して説明する（実公平６−４９５３３号公報参照）。この遊技媒体補給装置は、各図に示すように、メダルＭを搬送するベルト７１０の上方に、メダルＭの進路を変更するゲート板７２０を上下動自在に設け、ゲート板７２０の下降時にベルト７１０上のメダルＭをベルト７１０の横側脇に設けたメダル供給口７１１へ送出するものであって、ゲート板７２０は、後部に支点軸７２１と、前部に上下動するスライド部７２２と、下部にメダルＭを誘導するガイド部７２３と、を有し、スライド部７２２の前方対向位置にソレノイド７３０が配置され、ソレノイド７３０は、スライド部７２２に当接する作動ピン７３２を先端に設けたプランジャー７３１を有し、支点軸７２１と作動ピン７３２との間に、常時はゲート板７２０を上昇方向に付勢し、ソレノイド７３０の吸引動作により伸長し、ゲート板７２０をその付勢力より開放して下降させるバネ７２４が張設されている。
【０００５】
ベルト７１０により搬送されてくるメダルＭを図１８に示す左端のメダル供給口７１１に供給するときは、そのメダル供給口７１１と対応するソレノイド７３０を短縮状態となるように駆動する（図２０の一点鎖線で示す状態にする。）。これにより、ゲート板７２０が下降した状態となる。この状態となると、メダルＭをそのメダル供給口７１１に案内して供給することができる。
【０００６】
【発明が解決しようとする課題】
しかし、図１８に示す従来の遊技媒体補給装置では、メダルＭを第１又は第２メダル取り込み部６１４、６１５に導くときは、まず、駆動手段６１７を駆動して案内部材６１６を所望の方向に指向させ、しかる後に、伸長状態にある変位手段６１８を短縮状態に駆動して案内部材６１６を下降位置に下降させる必要がある。このように、案内部材６１６を上下方向と回転方向の２方向に動作させる必要があるので、案内部材６１６を動作させる機構が複雑となるし、駆動手段６１７と変位手段６１８の２つの駆動手段を必要とし、その結果、これらの機械的構造及び電気回路が複雑となってコストが嵩むという問題がある。
そして、案内部材６１６を、揺動軸６２０を中心にして揺動させているので、メダル搬送手段６０５の幅が広くなると、それに応じて案内部材６１６の先端の円周方向の移動距離も長くなり、その結果、故障が発生する可能性が高いという問題がある。
【０００７】
そして、図１９に示す従来の遊技媒体補給装置では、それぞれのメダル供給口７１１に対して専用のゲート板７２０を備えるゲート機構を設けてあるので、互いに隣合う２つのメダル供給口７１１と７１１の間隔は、少なくともゲート機構の長さに相当する間隔を必要とする。従って、２つのメダル供給口７１１、７１１をベルト７１０を挟んで互いに向かい合う状態で配設することができないという問題がある。その結果、遊技機等の構造やレイアウトに応じてこの遊技媒体補給装置を自由に適応することができないという問題がある。
【０００８】
本発明は、案内部材を動作させるための機構が簡単であり、２つの補給口を搬送路を挟んで互いに向かい合う状態で配設することができる遊技媒体補給装置を提供することを目的の１つとする。
【０００９】
【課題を解決するための手段】
第１の発明は、遊技機に使用される遊技媒体が搬送される搬送路と、該搬送路の両側部に互いに対向して設けられ、遊技媒体をそれぞれと対応する遊技機に補給するための第１の補給口、及び第２の補給口と、前記搬送路に沿って搬送される遊技媒体を第１及び第２の補給口に導くための案内部材と、を備える遊技媒体補給装置において、前記案内部材は、第１の補給口に遊技媒体を導くための案内部のうちの前記搬送路の上流側に近い部分を形成する第１の案内部を備える第１の案内部材と、第２の補給口に遊技媒体を導くための案内部のうちの前記搬送路の上流側に近い部分を形成する第２の案内部を備える第２の案内部材と、第１の補給口に遊技媒体を導くための案内部のうちの第１の案内部以外の部分を形成する第３の案内部を備える第３の案内部材と、第２の補給口に遊技媒体を導くための案内部のうちの第２の案内部以外の部分を形成する第４の案内部を備える第４の案内部材と、を具備し、第１と第３の案内部から成る第１の補給口へ遊技媒体を導くための案内部は、平面方向から見て第２と第４の案内部から成る第２の補給口へ遊技媒体を導くための案内部に対して交差しており、第１と第３の案内部材、及び第２と第４の案内部材は、所定の待機位置から前記搬送路と接触又は接近する案内位置に下降して、第１と第３の案内部材により遊技媒体を第１の補給口に導き、第２と第４の案内部材により遊技媒体を第２の補給口に導くことを特徴とするものである。
【００１０】
第２の発明は、第１の発明において、第１の案内部材と第３の案内部材が連動することにより、両者が前記待機位置と前記案内位置の間を移動し、第２の案内部材と第４の案内部材が連動することにより、両者が前記待機位置と前記案内位置の間を移動することを特徴とするものである。
第３の発明は、第１の発明において、第３の案内部材と第４の案内部材が互いに結合していることを特徴とするものである。
【００１１】
第４の発明は、第１、第２、又は第３の発明において、第１の案内部材が動作したときにその動作に連動して第３の案内部材が動作して、両者が前記待機位置と前記案内位置との間を移動し、第２の案内部材が動作したときにその動作に連動して第４の案内部材が動作して、両者が前記待機位置と前記案内位置との間を移動することを特徴とするものである。
【００１２】
第５の発明は、第４の発明において、第１の案内部材が前記待機位置から前記案内位置に移動するときに、第１の案内部材が第３の案内部材に係合して第３の案内部材を前記案内位置に移動させ、第２の案内部材が前記待機位置から前記案内位置に移動するときに、第２の案内部材が第４の案内部材に係合して第４の案内部材を前記案内位置に移動させることを特徴とするものである。
【００１３】
第６の発明は、第１又は第２の発明において、第３の案内部材と第４の案内部材が互いに分離しており、第１及び第３の案内部材のうちのいずれか一方、又は予め定めた一方の動作によって他方が連動することにより両者が前記待機位置と前記案内位置との間を移動し、第２と第４の案内部材のうちのいずれか一方、又は予め定めた一方の動作によって他方が連動することにより両者が前記待機位置と前記案内位置との間を移動することを特徴とするものである。
【００１４】
第１の発明によると、第１〜第４の案内部材が待機位置にある状態では、搬送路上の遊技媒体は、第１〜第４の案内部材の下方を通り抜けて後段に搬送される。そして、第１と第３の案内部材が案内位置に下降した状態では、搬送路に沿って搬送されてくる遊技媒体を第１の補給口に導き、この補給口と連通する遊技機に遊技媒体を補給することができる。また、第２と第４の案内部材が案内位置に下降した状態では、搬送路に沿って搬送されてくる遊技媒体を第２の補給口に導き、この補給口と連通する遊技機に遊技媒体を補給することができる。
【００１５】
第２の発明によると、第１の案内部材と第３の案内部材が連動して待機位置と案内位置の間を移動し、第２の案内部材と第４の案内部材が連動して待機位置と案内位置の間を移動する。
第３の発明によると、第３の案内部材と第４の案内部材が互いに結合しているので、いずれか一方を待機位置又は案内位置に移動させることにより、他方を待機位置又は案内位置に移動させることができる。
第４の発明によると、第１の案内部材が動作したときにその動作に連動して第３の案内部材が動作して、両者が待機位置と案内位置との間を移動し、第２の案内部材が動作したときにその動作に連動して第４の案内部材が動作して、両者が待機位置と案内位置との間を移動する。
【００１６】
第５の発明によると、第１の案内部材が待機位置から案内位置に移動するときに、第１の案内部材が第３の案内部材に係合して第３の案内部材を案内位置に移動させ、第２の案内部材が待機位置から案内位置に移動するときに、第２の案内部材が第４の案内部材に係合して第４の案内部材を案内位置に移動させることができる。
第６の発明によると、第１及び第３の案内部材のうちのいずれか一方、又は予め定めた一方の動作によって他方が連動することにより両者が待機位置と案内位置との間を移動し、第２と第４の案内部材のうちのいずれか一方、又は予め定めた一方の動作によって他方が連動することにより両者が待機位置と案内位置との間を移動する。
【００１７】
【発明の実施の形態】
本発明に係る遊技媒体補給装置の一実施形態を各図を参照して説明する。この実施形態の遊技媒体補給装置は、例えば複数台の遊技機及びメダル貸機が幅方向に交互に並べられている２つの遊技機列を、背中合わせにして配設した遊技機島に適用してあり、複数の各遊技機及び各メダル貸機に遊技媒体であるメダルＭを対応する各補給口３を介して補給することができるものである。
この遊技媒体補給装置は、図３に示すように、メダルＭが搬送されるベルトコンベア２により搬送路１を形成してあり、搬送路１の搬送方向１ａの左右の各側部には、遊技機やメダル貸機（図示せず）にメダルＭを補給するための合計８つの第１、第３、第５、及び第７の補給口３（３Ａ、３Ｃ、３Ｅ、３Ｇ）と第２、第４、第６、及び第８の補給口３（３Ｂ、３Ｄ、３Ｆ、３Ｈ）を互いに対向させて配設してある。それぞれの補給口３は、対応する遊技機等と連通している。そして、第１と第２の補給口（３Ａ、３Ｂ）、第３と第４の補給口（３Ｃ、３Ｄ）、第５と第６の補給口（３Ｅ、３Ｆ）、及び第７と第８の補給口（３Ｇ、３Ｈ）は、ベルトコンベア２を挟んでそれぞれ互いに向かい合って配設してある。
また、搬送路１の上方には、ベルトコンベア２により搬送されるメダルＭを各補給口３に案内するための合計４組の第１組〜第４組の案内部材（４Ａ、４Ｂ、４０１）、（４Ｃ、４Ｄ、４０２）、（４Ｅ、４Ｆ、４０３）、（４Ｇ、４Ｈ、４０４）を設けてある。
【００１８】
まず、この４組の各案内部材４のうち、図３の右端に設けられている第１組の案内部材（４Ａ、４Ｂ、４０１）を図４、図５、及び図６を参照して説明する。図５及び図６に示すように、案内部材４Ａ、４Ｂ、４０１は、平面形状が多角形の板状体であり、図６に示すように、それぞれが支持軸５を中心にして上下方向に揺動自在にこの支持軸５に支持されている。つまり、案内部材４Ａ、４Ｂ、４０１は、図５に示すように、それぞれの上面にそれぞれと対応する支持部材５０１Ａ、５０１Ｂ、４０１Ｊの端部に結合しており、各支持部材５０１Ａ、５０１Ｂ、４０１Ｊを介して支持軸５に設けてあり、それぞれが独立して揺動自在である。この支持軸５は、この遊技媒体補給装置に機枠５０２に設けてある。
【００１９】
各案内部材４Ａ、４Ｂ、４０１は、図６の実線で示すように、コンベアベルト２ａの上面と所定の間隔を隔てて上昇位置で待機する待機位置と、二点鎖線で示すように、コンベアベルト２ａの上面と接する下降位置にある状態の案内位置と、に昇降自在である。各案内部材４Ａ、４Ｂ、４０１が待機位置にある状態では、コンベアベルト２ａ上のメダルＭがこれら案内部材４Ａ、４Ｂ、４０１の下方を通り抜けて搬送方向１ａに搬送される。
そして、図５に示す所定の２つの案内部材４Ａ、４０１が案内位置にある状態では、コンベアベルト２ａ上のメダルＭが案内部材４Ａ、４０１のそれぞれの案内面４Ａａ、４０１ａにより案内されて第１の補給口３Ａに投入される。従って、案内面４Ａａ、４０１ａは、メダルＭを第１の補給口３Ａに導くための案内部である。
また、所定の２つの案内部材４Ｂ、４０１が案内位置にある状態では、コンベアベルト２ａ上のメダルＭが案内部材４Ｂ、４０１のそれぞれの案内面４Ｂｂ、４０１ｂにより案内されて第２の補給口３Ｂに投入される。従って、案内面４Ｂｂ、４０１ｂは、メダルＭを第２の補給口３Ｂに導くための案内部である。
案内部材４Ａが請求項１に記載の第１の案内部材であり、案内面４Ａａが第１の案内部である。案内部材４Ｂが第２の案内部材であり、案内面４Ｂｂが第２の案内部である。案内部材４０１は、第３の案内部材と第４の案内部材が互いに結合したものである。そして、案内面４０１ａが第３の案内部材の第３の案内部であり、案内面４０１ｂが第４の案内部材の第４の案内部である。
このように、第１組〜第４組の各組の案内部材（４Ａ、４Ｂ、４０１）、（４Ｃ、４Ｄ、４０２）、（４Ｅ、４Ｆ、４０３）、（４Ｇ、４Ｈ、４０４）は、それぞれ第１〜第４の案内部材により構成されている。
【００２０】
ところで、図５に示すように、支持部材５０１Ａ、５０１Ｂには、それぞれ係合部材７Ａ、７Ｂを突設してある。係合部材７Ａは、支持部材５０１Ａに設けられている案内部材４Ａが待機位置から案内位置に下降する際に、中央案内部材４０１の縁部の上面と係合して、この案内部材４Ａと共に案内部材４０１を待機位置から案内位置に下降させるためのものである。従って、案内部材４Ａを待機位置から案内位置に下降させることにより、案内部材４０１を案内部材４Ａに連動させて待機位置から案内位置に下降させることができ、これにより、コンベアベルト２ａ上のメダルＭを第１の補給口３Ａに案内して投入することができる。
同様に、係合部材７Ｂは、支持部材５０１Ｂに設けられている案内部材４Ｂが待機位置から案内位置に下降する際に、案内部材４０１の縁部の上面と係合して、この案内部材４Ｂと共に案内部材４０１を待機位置から案内位置に下降させるためのものである。従って、案内部材４Ｂを待機位置から案内位置に下降させることにより、案内部材４０１を案内部材４Ｂに連動させて待機位置から案内位置に下降させることができ、これにより、コンベアベルト２ａ上のメダルＭを第２の補給口３Ｂに案内して投入することができる。
【００２１】
図４に示す６は、引っ張りバネである。引っ張りバネ６は、一方の端部が機枠５０２と結合しており、他方の端部が支持部材４０１Ｊと結合しており、この支持部材４０１Ｊに設けられている案内部材４０１を待機位置に保持する方向５０８に付勢している。案内部材４０１の上側方向に向かう移動は、機枠５０２に設けられている係止部材５０３で係止されている。
【００２２】
また、図４に示すように、支持部材５０１Ａの他方の上端部は、リンク５０４Ａを介して水平に配置されているリンクバー８Ａの左側端部とリンク結合している。リンクバー８Ａの右側端部は、水平に配置されているクラッチバー１０Ａの左側端部と連結部５０５Ａを介して連結しており、リンクバー８Ａとクラッチバー１０Ａは、この連結部５０５Ａを中心にして相対的に上下方向に回動自在である。そして、クラッチバー１０Ａの右側端部の保持下縁５０６が保持ピン１４１上に載置されている。また、図４に示す１１Ａは引っ張りバネである。引っ張りバネ１１Ａは、左側端部が機枠５０２と連結し、右側端部がクラッチバー１０Ａの中央部と連結している。この引っ張りバネ１１Ａは、クラッチバー１０Ａを左斜め下側の方向５０９に付勢しており、これにより、支持部材５０１Ａに設けられている案内部材４Ａを支持軸５を中心にして上昇する方向に付勢して待機位置に保持している。連結部５０５Ａは係止部材５０３上に乗った状態となっており、下方に移動しないようになっている。
【００２３】
支持部材５０１Ｂの他方の上端部は、図４に示す支持部材５０１Ａの他方の上端部と同様に、リンク５０４Ｂ（図示せず）を介して水平に配置されているリンクバー８Ｂの左側端部がリンク結合しており、リンクバー８Ｂの右側端部が水平に配置されているクラッチバー１０Ｂの左側端部と相対的に上下方向に回動自在に連結部５０５Ｂ（図示せず）を介して連結している。そして、クラッチバー１０Ｂの右側端部の保持下縁５０６が保持ピン１４１上に載置されている。また、引っ張りバネ１１Ｂは、左側端部が機枠５０２と連結し、右側端部がクラッチバー１０Ｂの中央部と連結している。この引っ張りバネ１１Ｂは、クラッチバー１０Ｂを左斜め下側の方向５０９に付勢しており、これにより、支持部材５０１Ｂに設けられている案内部材４Ｂを支持軸５を中心にして上昇する方向に付勢して待機位置に保持している。連結部５０５Ｂは係止部材５０３上に乗った状態となっており、下方に移動しないようになっている。
【００２４】
要するに、図４に示す引っ張りバネ６は、案内部材４０１を待機位置に保持しており、引っ張りバネ１１Ａは、案内部材４Ａを待機位置に保持している。そして、引っ張りバネ１１Ｂは、案内部材４Ｂを待機位置に保持している。この状態で、引っ張りバネ１１Ａ及び引っ張りバネ６のバネ力に抗して、クラッチバー１０Ａを図４の右方向５１０に引っ張ると、待機位置にある案内部材４Ａ及び案内部材４０１を下降させて二点鎖線で示す案内位置に移動させることができ、これにより、コンベアベルト２ａにより搬送されてくるメダルＭを図３に示す補給口３Ａに供給して、それに対応する遊技機等に補給することができる。
同様に、引っ張りバネ１１Ｂ及び引っ張りバネ６のバネ力に抗して、クラッチバー１０Ｂ（図３参照）を図４の右方向５１０に引っ張ると、待機位置にある案内部材４Ｂ及び案内部材４０１を下降させて案内位置に移動させることができ、これにより、コンベアベルト２ａにより搬送されてくるメダルＭを図３に示す補給口３Ｂに供給して、それに対応する遊技機等に補給することができる。
【００２５】
上記のように、第１組の案内部材（４Ａ、４Ｂ、４０１）と、この第１組の案内部材（４Ａ、４Ｂ、４０１）が設けられている支持部材５０１Ａ、５０１Ｂ、４０１Ｊと、各支持部材５０１Ａ、５０１Ｂと連結するリンクバー８Ａ、８Ｂ、及びクラッチバー１０Ａ、１０Ｂと、第１組の案内部材（４Ａ、４Ｂ、４０１）を待機位置に保持するための引っ張りバネ１１Ａ、１１Ｂ、６と、それらに関連するものの構成及び作用を説明したが、これと同様に、図３、図４、及び図５等に示すように、第２組の案内部材（４Ｃ、４Ｄ、４０２）〜第４組の案内部材（４Ｇ、４Ｈ、４０４）と、この第２組の案内部材（４Ｃ、４Ｄ、４０２）〜第４組の案内部材（４Ｇ、４Ｈ、４０４）が設けられている支持部材（５０１Ｃ、５０１Ｄ、４０２Ａ）〜（５０１Ｇ、５０１Ｈ、４０４Ａ）と、各支持部材（５０１Ｃ、５０１Ｄ）〜（５０１Ｇ、５０１Ｈ）と連結するリンクバー（８Ｃ、８Ｄ）〜（８Ｇ、８Ｈ）、及びクラッチバー（１０Ｃ、１０Ｄ）〜（１０Ｇ、１０Ｈ）と、第２組の案内部材（４Ｃ、４Ｄ、４０２）〜第４組の案内部材（４Ｇ、４Ｈ、４０４）を待機位置に保持するための引っ張りバネ（１１Ｃ、１１Ｄ、６）〜（１１Ｇ、１１Ｈ、６）と、それらに関連するものを構成してあり、同様に作用するので、それらの詳細な説明を省略する。
【００２６】
従って、引っ張りバネ（１１Ｃ、１１Ｄ、６）〜（１１Ｇ、１１Ｈ、６）のバネ力により、図３に示す第２組の案内部材（４Ｃ、４Ｄ、４０２）〜第４組の案内部材（４Ｇ、４Ｈ、４０４）を待機位置に上昇させている状態では、コンベアベルト２ａにより搬送されてくるメダルＭは第２組の案内部材（４Ｃ、４Ｄ、４０２）〜第４組の案内部材（４Ｇ、４Ｈ、４０４）の下方を通り抜けてその搬送方向１ａに搬送される。
そして、いずれかの引っ張りバネ（１１Ｃ、６）〜（１１Ｈ、６）のバネ力に抗して、対応するいずれかのクラッチバー１０Ｃ〜１０Ｈ（図３参照）を図４の右方向５１０に引っ張ると、それと対応する待機位置にある案内部材（４Ｃ、４０２）、（４Ｄ、４０２）、（４Ｅ、４０３）、（４Ｆ、４０３）、（４Ｇ、４０４）、及び（４Ｈ、４０４）の組のうちのいずれか１組を下降させて案内位置に移動させることができ、これにより、コンベアベルト２ａにより搬送されてくるメダルＭを図３に示す対応する補給口３Ｃ〜３Ｈのうちにいずれか１つの補給口に供給して、それに対応する遊技機等に補給することができる。
【００２７】
なお、図３に示すリンクバー８Ｃとクラッチバー１０Ｃ、リンクバー８Ｄとクラッチバー１０Ｄ、リンクバー８Ｅとクラッチバー１０Ｅ、リンクバー８Ｆとクラッチバー１０Ｆ、リンクバー８Ｇとクラッチバー１０Ｇ、及びリンクバー８Ｈとクラッチバー１０Ｈは、それぞれ連結バー５０７Ｃ〜５０７Ｈを介して互いに連結させてある。これら各連結バー５０７Ｃ〜５０７Ｈを介して押し引きの動作をクラッチバー１０Ｃ〜１０Ｈとリンクバー８Ｃ〜８Ｈとの間で伝達して対応する各案内部材（４Ｃ、４０２）、（４Ｄ、４０２）、（４Ｅ、４０３）、（４Ｆ、４０３）、（４Ｇ、４０４）、及び（４Ｈ、４０４）を待機位置と案内位置とに昇降移動させることができる。
【００２８】
次に、案内部材４Ａ、４Ｂ、４Ｃ、４Ｄ、４Ｅ、４Ｆ、４Ｇ、及び４Ｈのうちいずれかを選択する選択手段、及びこの選択手段を駆動するための選択駆動手段、並びに、この選択手段により選択された案内部材を待機位置から案内位置に移動させるための案内駆動手段を説明する。
選択手段は、図９及び図４に示すように、３枚のキープレート１３（１３１〜１３３）から成っており、互いに間隔を隔てて平行し、クラッチバー１０Ａ〜１０Ｈと直交する水平状態でそれらの下方に起立して配置してある。
各キープレート１３１〜１３３は、矩形の平板であり、それぞれの上縁には、下方に向かって形成されている凹部である複数の切欠溝（１３１ａ〜１３１ｇ）、（１３２ａ〜１３２ｅ）、及び（１３３ａ〜１３３ｇ）を設けてある。各切欠溝は、対応するクラッチバー１０の作用下縁５１６が落ち込んで（進入して）収容可能な大きさ及び形状となっている。
選択駆動手段は、３つの第１〜第３ソレノイド１５（１５１、１５２、１５３）から成っており、各ソレノイド（１５１、１５２、１５３）の摺動軸がそれぞれと対応するキープレート（１３１、１３２、１３３）と連結している。そして、各ソレノイド（１５１、１５２、１５３）をＯＮ、ＯＦＦさせることによって、対応して連結するキープレート（１３１、１３２、１３３）をそれぞれ別々に各キープレートと平行する方向であって、水平方向に、前進位置（ＯＮ位置）と後退位置（ＯＦＦ位置）に進退移動させて、キープレート（１３１、１３２、１３３）を各位置で位置決めすることができるようになっている。このキープレート（１３１、１３２、１３３）が進退する移動距離は、クラッチバー１０Ａと１０Ｃの間隔の１／２の距離である。ただし、互いに隣合うクラッチバー１０Ａ〜１０Ｈのそれぞれの間隔は同一である。
【００２９】
図１０は、第１〜第３ソレノイド１５（１５１、１５２、１５３）のＯＮ、ＯＦＦの組合わせにより、各キープレート（１３１、１３２、１３３）に形成されている切欠溝（１３１ａ〜１３１ｇ）、（１３２ａ〜１３２ｅ）、及び（１３３ａ〜１３３ｇ）のうちのそれぞれの１つの切欠溝、即ち、合計３つの切欠溝が互いに重なり合い、これにより、その互いに重なり合う３つの切欠溝内に落ち込んで収容される対応するクラッチバーを示す図である。
例えば図１０の一番上の欄の場合では、第１〜第３ソレノイド（１５１、１５２、１５３）が全てＯＦＦとなっている。この状態は、図９に示す状態であり、キープレート（１３１、１３２、１３３）のそれぞれの切欠溝（１３１ａ、１３２ａ、１３３ａ）が互いに重なり合っている。この状態では、左端のクラッチバー１０Ａの作用下縁５１６が切欠溝（１３１ａ、１３２ａ、１３３ａ）内に落ち込んで収容可能な状態となる。ただし、クラッチバー１０Ａ以外のクラッチバーＢ〜Ｈのそれぞれの下方位置では、３枚の全てのキープレート（１３１、１３２、１３３）の切欠溝が互いに重なり合っておらず、クラッチバーＢ〜Ｈが切欠溝内に落ち込まないようになっており、３枚のキープレートのいずれかの上縁でクラッチバーＢ〜Ｈを支持可能な状態となっている。このように、第１〜第３ソレノイド（１５１、１５２、１５３）を全てＯＦＦにしたときは、クラッチバー１０Ａを選択したこととなる。このようにクラッチバー１０Ａを選択した状態で後述する図４に示す案内駆動モータ（案内駆動手段）９を駆動させることにより、クラッチバー１０Ａを図４の右方向５１０に所定の距離だけ引っ張ることができ、これにより、待機位置にある案内部材（４Ａ、４０１）を下降させて案内位置に移動させることができ、コンベアベルト２ａにより搬送されてくるメダルＭを図３に示す補給口３Ａに供給して、それに対応する遊技機等に補給することができる。
【００３０】
上記と同様に、図１０の上から２番目の欄の場合では、第１〜第３ソレノイド（１５１、１５２、１５３）が（ＯＮ、ＯＦＦ、ＯＦＦ）となっている。この状態は、図９に示すキープレート（１３１、１３２、１３３）のそれぞれの切欠溝（１３１ｇ、１３２ｅ、１３３ｇが互いに重なり合っている。この状態では、右端のクラッチバー１０Ｂが切欠溝（１３１ｇ、１３２ｅ、１３３ｇ）内に落ち込んで収容可能な状態となる。ただし、クラッチバー１０Ｂ以外のクラッチバー１０Ａ、１０Ｃ〜１０Ｈのそれぞれの下方位置では、３枚の全てのキープレート（１３１、１３２、１３３）の切欠溝が互いに重なり合っておらず、クラッチバー１０Ａ、１０Ｃ〜１０Ｈが切欠溝内に落ち込まないようになっており、３枚のキープレートのいずれかの上縁でクラッチバー１０Ａ、１０Ｃ〜１０Ｈを支持可能な状態となっている。このように、第１〜第３ソレノイド（１５１、１５２、１５３）を（ＯＮ、ＯＦＦ、ＯＦＦ）にしたときは、クラッチバー１０Ｂを選択したこととなる。このようにクラッチバー１０Ｂを選択した状態で図４に示す案内駆動手段の作動機構部５１１を正転方向５１８に回転させることにより、クラッチバー１０Ｂを図４の右方向５１０に所定の距離だけ引っ張ることができ、これにより、待機位置にある案内部材（４Ｂ、４０１）を下降させて案内位置に移動させることができる。そして、コンベアベルト２ａにより搬送されてくるメダルＭを図３に示す補給口３Ｂに供給して、それに対応する遊技機等に補給することができる。
以下同様に、図１０に示すように、第１〜第３ソレノイド（１５１、１５２、１５３）をそれぞれＯＮ、ＯＦＦさせることにより、それに対応する予め定めたクラッチバー１０Ｃ〜１０Ｈのうちの１つを選択することができ、その選択したクラッチバーのみを対応する切欠溝に落ち込ませて収容することができる状態にする。そして、作動機構部５１１を正転方向５１８に回転させることにより対応する案内部材を下降させて案内位置に移動させることができる。そして、コンベアベルト２ａにより搬送されてくるメダルＭを図３に示す対応する補給口に供給して、それに対応する遊技機等に補給することができる。
この図１０に示すクラッチバー１０Ａ〜１０Ｈと第１〜第３ソレノイド（１５１、１５２、１５３）のＯＮ、ＯＦＦとの関係は、図１１に示す記憶装置１７に記憶されている。これにより、複数の遊技機及びメダル貸機５１７、・・・のうちのいずれか１台がメダルＭが不足して補給信号を発信すると、制御部１６が補給信号を発信した遊技機５１７等と対応する例えば案内部材（４Ａ、４０１）、及びクラッチバー１０Ａを選択して、第１〜第３ソレノイド（１５１、１５２、１５３）を操作するための組合わせ信号を記憶装置１７から読み込むことができ、この読み込んだ組合わせ信号によって第１〜第３ソレノイド（１５１、１５２、１５３）をＯＮ又はＯＦＦするようになっている。その結果、その補給信号を発信した遊技機等にメダルＭを補給するようになっている。
【００３１】
案内駆動手段は、図１及び図４に示すように、案内駆動モータ９と、作動機構部５１１と、を備えている。
案内駆動モータ９は、図１に示すように、機枠５０２に設けてあり、作動機構部５１１を正転及び逆転方向に所定の角度だけ回動させるためのものである。
作動機構部５１１は、図１に示すように、２枚のカム（内側のカムの説明を省略する）１４、側板５１３、保持ピン１４１、及び連結ピン１４２を支持軸５１２に固定して設けたものである。そして、作動機構部５１１は、支持軸５１２が軸受部５１４により回動自在に支持されており、機枠５０２に設けてある。そして、保持ピン１４１、及び連結ピン１４２は、図４に示すように、支持軸５１２と所定の間隔を隔てて平行し、クラッチバー１０Ａ〜１０Ｈと直交して水平に設けてある。この保持ピン１４１と連結ピン１４２は、支持軸５１２を中心にして互いに所定の角度だけ隔てて配置してある。この支持軸５１２と案内駆動モータ９の回転軸は、動力伝達部５１５を介して連結しているので、案内駆動モータ９が正転又は逆転方向に所定の角度だけ回転すると、作動機構部５１１が正転又は逆転方向に所定の角度だけ回転するようになっている。
また、図４に示すように、カム１４は、この状態で位置センサ（リミットスイッチ）１８を押し込んだ状態となっており、位置センサが例えばＯＦＦとなっている。このカム１４と位置センサ１８によって作動機構部５１１の回転位置を検出してこの検出信号を図１１に示す制御部１６に送信することができる。この状態で、図４に示すように、クラッチバー１０Ａ〜１０Ｈのそれぞれの保持下縁５０６が上昇位置にある保持ピン１４１上に載置されており、クラッチバー１０Ａ〜１０Ｈのそれぞれの作用下縁５１６が３枚のキープレート１３１〜１３３の上縁の上方の上昇位置で停止している。また、図４に示すように、クラッチバー１０Ａ〜１０Ｈのそれぞれの保持下縁５０６と作用下縁５１６の間には係合縁（連結部）１２、・・・を設けてある。
【００３２】
この係合縁１２によると、図４に二点鎖線で示すように、作動機構部５１１の正転方向（時計方向）５１８の回転により、この係合縁１２に連結ピン１４２が係合する。そして、連結ピン１４２を更に正転方向５１８に回転させることにより、予め選択されて下降位置に移動しているクラッチバー１０Ａ〜１０Ｈのうちのいずれか１つのクラッチバーを所定の距離だけ５１０の方向に引っ張り、その引っ張ったクラッチバーと対応する１組の案内部材（４Ａ、４０１）、（４Ｂ、４０１）、（４Ｃ、４０２）、（４Ｄ、４０２）、（４Ｅ、４０３）、（４Ｆ、４０３）、（４Ｇ、４０４）、又は（４Ｈ、４０４）を待機位置から下降させて案内位置に移動させることができる。
【００３３】
なお、図４の二点鎖線で示すように、作動機構部５１１が正転方向５１８に回転してクラッチバー１０Ａ〜１０Ｈの各保持下縁５０６が保持ピン１４１から外れると、３枚のキープレート１３１〜１３３の移動の組合わせ（図１０参照）と対応する選択されたクラッチバーが、連結部５０５を中心にして下方に向かって回転してそのクラッチバーの作用下縁５１６がキープレート１３１〜１３３の互いに重なり合っている３つの切欠溝内に落ち込み下降位置となる。ただし、選択されなかった他のクラッチバーは、それらの作用下縁５１６がキープレート１３１〜１３３のいずれかの上縁に当接して上昇位置に保持された状態となっている。
そして、制御部１６は、図４に示すように、連結ピン１４２が正転方向５１８に回転して二点鎖線で示す位置に到達したときに案内駆動モータ９を停止させる。そして、この停止した後に遊技機等の補給信号が停止し、この補給信号が停止した時から予めタイマ１９に設定されている時間が経過した後に、案内駆動モータ９を逆転方向に回転させて、図４の実線で示すように、連結ピン１４２が係合縁１２から外れて、保持ピン１４１がその選択されたクラッチバーの保持下縁５０６を下から押し上げて上昇位置に移動させ、この時に案内駆動モータ９を停止させるようにプログラムされている。このとき、その選択されたクラッチバーは、対応する引っ張りバネ１１により図４の左方向５１９に引っ張られて元の位置に戻り、その元の位置に戻ったクラッチバーと対応する１組の案内部材（４Ａ、４０１）、（４Ｂ、４０１）、（４Ｃ、４０２）、（４Ｄ、４０２）、（４Ｅ、４０３）、（４Ｆ、４０３）、（４Ｇ、４０４）、又は（４Ｈ、４０４）が案内位置から上昇して待機位置に移動する構成となっている。
【００３４】
図１１は、遊技媒体補給装置の電気回路を示すブロック図である。同図に示すように、制御部１６には、複数の遊技機及び遊技媒体貸機５１７、・・・、タイマ１９、位置センサ１８、案内駆動部９、第１〜第３ソレノイド１５１〜１５３、並びに、記憶装置１７が接続している。
【００３５】
次に、上記のように構成された遊技媒体補給装置の作用を説明する。今、図３に示す各組の案内部材（４Ａ、４０１）、（４Ｂ、４０１）、（４Ｃ、４０２）、（４Ｄ、４０２）、（４Ｅ、４０３）、（４Ｆ、４０３）、（４Ｇ、４０４）、及び（４Ｈ、４０４）が待機位置に上昇しており、メダルＭがベルトコンベア２により搬送方向１ａに搬送されて、各案内部材の下側を通り抜けている状態とする。この時、メダルＭが不足している遊技機５１７等が補給信号を発信すると、制御部１６がその補給信号を受信して、その遊技機等に対応した例えばクラッチバー１０Ｄを選択する組合わせ信号を記憶装置１７から読み込み、その組合わせ信号によって第１〜第３ソレノイド１５１〜１５３に（ＯＮ、ＯＮ、ＯＦＦ）の信号を送る。これにより、第１〜第３ソレノイド１５１〜１５３が組合わせ信号の通り駆動して、３枚のキープレート１３１〜１３３の図９に示す切欠溝１３１ｆ、１３２ｅ、１３３ｆがクラッチバー１０Ｄの下方で一直線上に揃い（各切欠溝が互いに重なり合い）、クラッチバー１０Ｄが選択された状態となる。
【００３６】
次に、制御部１６が案内駆動モータ９を回転させて、図４に示す作動機構部５１１を正転方向５１８に回転させると、保持ピン１４１上に保持されているクラッチバー１０Ａ〜１０Ｈの全ての保持下縁５０６が保持ピン１４１から外れて、その選択されたクラッチバーＤの作用下縁５１６が切欠溝１３１ｆ、１３２ｅ、１３３ｆ内に落ち込んで下降位置となり、選択されなかったクラッチバー１０Ａ〜１０Ｃ、１０Ｅ〜１０Ｈの各作用下縁５１６が３枚のキープレート１３１〜１３３の上縁に当接して上昇位置に保持された状態を維持する。そして、更に作動機構部５１１を正転方向５１８に回転させると、連結ピン１４２がクラッチバー１０Ｄの係合縁１２に係合して図４の二点鎖線で示す位置まで右方向に引っ張り、この位置で案内駆動モータ９が停止する。これにより、その引っ張られたクラッチバー１０Ｄと連結するリンクバー８Ｄも同方向に引っ張られ、このリンクバー８Ｄに取り付けられている案内部材４Ｄが待機位置から案内位置に下降すると共に、中央案内部材４０２も案内位置に下降する。そして、案内位置にある案内部材４Ｄと４０２の図５に示す案内面４Ｄｄと４０２ｄが合わさって１つの案内面を形成し、ベルトコンベア２により搬送されているメダルＭを補給口３Ｄに案内して、この補給口３Ｄから補給信号を発信した遊技機５１７等にメダルＭを補給することができる。
【００３７】
しかる後に、制御部１６は、補給口３Ｄと連通する遊技機等にメダルＭが補給され、補給信号が停止した時からタイマ１９により設定時間を計測してその設定時間が経過すると、案内駆動モータ９を逆転方向に回転させる。すると、連結ピン１４１が選択されているクラッチバー１０Ｄの係合縁１２から外れ、このクラッチバー１０Ｄ、及びリンクバー８Ｄが引っ張りバネ１１Ｄにより図４において左方向５１９に引き戻され、案内部材４Ｄ、４０２が下降位置である案内位置から待機位置に上昇する。案内部材４０２は、対応する引っ張りバネ６により待機位置に上昇する。その結果、ベルトコンベア２により搬送されているメダルＭは、案内部材４Ｄ、４０２により補給口３Ｄに導かれずにこの案内部材４Ｄ、４０２の下ををくぐり抜けて搬送方向１ａに搬送される。
そして、連結ピン１４１が更に逆転方向に回転すると、保持ピン１４１がクラッチバー１０Ｄの保持下縁５０６を下から上方に押し上げて図４に示す上昇位置で案内駆動モータ９が停止する。この状態では、クラッチバー１０Ｄの作用下縁５１６が３枚のキープレート１３１〜１３３の切欠溝１３１ｆ、１３２ｅ、１３３ｆから退避して、キープレート１３１〜１３３の上方の上昇位置に停止した状態となる。同様に、選択されていなかったクラッチバー１０Ａ〜１０Ｃ、１０Ｅ〜１０Ｈの各保持下縁５０６も保持ピン１４１で保持されると共に、各作用下縁５１６も３枚のキープレート１３１〜１３３の上方の上昇位置に停止した状態となる。この状態で次の補給信号が送信されるまで待機し、補給信号を受信したときは、上記と同様の動作を行ない、その補給信号を発信した遊技機等にメダルＭを補給することができる。
【００３８】
この実施形態の遊技媒体補給装置によると、メダルＭを、互いに向かい合う例えば第１又は第２の補給口３Ａ又は３Ｂに導くときは、所定の待機位置にある第１の案内部材４Ａ又は第２の案内部材４Ｂを、所定の案内位置に下降させればよく、つまり、第１の案内部材４Ａ、及び第２案内部材４Ｂのいずれかの案内部材を同方向（上下方向）に下降させればよいので、案内部材４Ａ、及び４Ｂを昇降させるための機構が簡単となる。そして、上記実施形態のように、第１組〜第４組の案内部材を構成する全ての案内部材を１台の案内駆動モータ９により作動させることができるので、この装置の機械的構造及び電気回路の簡素化を図ることができる。
そして、案内部材を下降させる距離は、コンベアベルト２ａ上のメダルＭの厚みよりも少し高い高さに相当する移動距離であるが、この移動距離は、比較的短い距離であるので、図１８に示す案内部材６１６を備える従来のものと比較して、故障が少なく、簡単な構造であって、低廉な案内部材の動作機構を提供することができる。
そして、図５に示すように、第１組〜第４組の案内部材（４Ａ、４Ｂ、４０１）、（４Ｃ、４Ｄ、４０２）、（４Ｅ、４Ｆ、４０３）、（４Ｇ、４Ｈ、４０４）のそれぞれの組の第１と第３の案内面（例えば案内面４Ａａと４０１ａ）は、平面方向から見て第２と第４の案内面（例えば案内面４Ｂｂと４０１ｂ）に対して交差しているので、図１９に示す従来の遊技媒体補給装置に設けられている供給口７１１と７１１のように、搬送方向に互いに間隔を隔てて設ける必要がなく、図３に示すように、ベルトコンベア２の両側部に第１と第２の補給口（３Ａと３Ｂ）を互いに対向して設けることができ、補給口の設計、及び施工の簡単化を図ることができる。勿論、第３と第４の補給口（３Ｃと３Ｄ）、・・・、第７と第８の補給口（３Ｇと３Ｈ）についても同様である。
【００３９】
また、例えば第１組の案内部材の中央案内部材４０１は、第３の案内面４０１ａを形成している第３の案内部材と、第４の案内面４０１ｂを形成している第４の案内部材と、を互いに結合したものであるので、両者が分離している場合と比較して、１つの中央案内部材４０１を支持し、動作させるだけでよいので機構の簡単化を図ることができる。勿論、第２組〜第４組の案内部材の中央案内部材４０２〜４０４についても同様の効果が得られる。
【００４０】
更に、図５及び図６に示すように、第１の案内部材（例えば４Ａ）が下降移動するときに、係合部材（例えば７Ａ）が中央案内部材（例えば４０１）に係合して第１の案内部材に連動させて中央案内部材を案内位置に移動させることができる。また、第１の案内部材（例えば４Ａ）が上昇移動するときに、中央案内部材（例えば４０１）に対する係合部材（例えば７Ａ）の押圧が解除されて引っ張りバネ６により中央案内部材が自動的に上昇して、この両方の案内部材が連動して待機位置に移動する。
同様に、第２の案内部材（例えば４Ｂ）が下降移動するときに、係合部材（例えば７Ｂ）が中央案内部材（例えば４０１）に係合して第２の案内部材に連動させて中央案内部材を案内位置に移動させることができる。また、第２の案内部材（例えば４Ｂ）が上昇移動するときに、中央案内部材（例えば４０１）に対する係合部材（例えば７Ｂ）の押圧が解除されて引っ張りバネ６により中央案内部材が自動的に上昇して、この両方の案内部材が連動して待機位置に移動する。
従って、中央案内部材（例えば４０１）を第１又は第２の案内部材とは別々に動作させる場合と比較して、第１〜第４の各組の案内部材を構成するそれぞれの第１及び第２の案内部材、並びに中央案内部材を動作させるための機構の簡単化を図ることができるし、その動作を確実に行わせることができる。
【００４１】
そして、この実施形態の遊技媒体補給装置によると、キープレート１３１〜１３３を動作させて、８つの案内部材４Ａ〜４Ｈのうちから補給信号が発信された遊技機器等と対応するいずれか１つの案内部材を案内駆動モータ９により案内位置に移動させることができる。このように、この案内駆動モータ９は、その選択されたいずれかの案内部材を案内位置に移動させるために共用されているので、各案内部材ごとに案内駆動モータ９を設ける必要がない。従って、この遊技媒体補給装置の機械的構造及び電気回路を簡単なものにすることができる。
【００４２】
そして、第１〜第３ソレノイド１５１〜１５３がキープレート１３１〜１３３を動作させることにより、補給信号を発信した遊技機器と対応する１つの案内部材（案内部材４Ａ〜４Ｈのうちの１つの案内部材）を選択し、選択されなかった残りの７つの案内部材（案内部材４Ａ〜４Ｈのうちの残りの７つの案内部材）をキープレート１３１〜１３３により待機位置に保持することができる。このように、このキープレート１３１〜１３３及び第１〜第３ソレノイド１５１〜１５３は、選択されなかった７つの案内部材を待機位置に保持するために共用されているので、各案内部材ごとにキープレート１３１〜１３３及び第１〜第３ソレノイド１５１〜１５３を設ける必要がなく、この点でもこの遊技媒体補給装置の機械的構造及び電気回路を簡単なものにすることができる。
【００４３】
また、図９及び図１０に示すように、複数のそれぞれのキープレート（選択部材）１３１〜１３３の動作位置を組合わせ、その組合わせから成る動作位置と対応する案内部材４（クラッチバー１０）を選択する構成であるので、各キープレート１３１〜１３３の動作を第１〜第３ソレノイド１５１〜１５３により行わせることができる。これにより、各案内部材の選択を行うための動作制御を簡単に行うことができる。そして、各キープレート１３１〜１３３の駆動と位置決めを第１〜第３ソレノイド１５１〜１５３を使用して行っているので、キープレートの駆動と位置決めの構造を簡単にすることができる。
【００４４】
更に、図９に示すように、キープレート１３１〜１３３がいずれかの案内部材４（クラッチバー１０）を選択するときは、キープレート１３１〜１３３がその選択される案内部材と対応して定められている８種類のうちの１つの動作位置にとなり、その動作位置ではキープレート１３１〜１３３に設けられている切欠溝のうち互いに重なり合う３つの切欠溝に対して、その選択される案内部材と連結するクラッチバーの作用下縁５１６を進入させることができ、この互いに重なり合う３つの切欠溝に進入した作用下縁５１６を有するクラッチバーと連結する案内部材を案内位置に案内駆動部９により移動させることができる。このように切欠溝（１３１ａ〜１３１ｇ）、（１３２ａ〜１３１ｅ）、（１３３ａ〜１３３ｇ）を設けたキープレート１３１〜１３３は、製造が簡単である。
【００４５】
ただし、上記実施形態では、図５に示すように、各案内部材４Ａ〜４Ｈの上面と結合する支持部材５０１Ａ〜５０１Ｈに係合部材７Ａ〜７Ｈを設けた構成としたが、この係合部材７Ａ〜７Ｈを、各案内部材４Ａ〜４Ｈの上面側に設ける代わりに、中央案内部材４０１〜４０４の各下面の対応する位置の縁部に設け、案内部材４Ａ〜４Ｈのうちのいずれかの案内部材が待機位置から下降して案内位置に移動するときに、その下降する案内部材（例えば案内部材４Ａ）が対応する係合部材（例えば係合部材７Ａ）と係合して、その係合部材が設けられている中央案内部材（例えば中央案内部材４０１）を待機位置から案内位置に移動させる構成としてもよい。
【００４６】
そして、上記実施形態では、図５及び図６に示す案内部材４Ａ〜４Ｈ、４０１〜４０４を採用したが、これに代えて、図７及び図８に示す案内部材４Ａ〜４Ｈ、４０１Ａ〜４０４Ｈを採用してもよい。案内部材４Ａ〜４Ｈは、上記実施形態と同等のものである。案内部材（４０１Ａと４０１Ｂ）、（４０２Ｃと４０２Ｄ）、（４０３Ｅと４０３Ｆ）、（４０４Ｇと４０４Ｈ）は、それぞれ中央案内部材４０１〜４０４を搬送方向１ａと平行し、中心を通る線に沿って２つに分割したものである。そして、案内部材（４Ａと４０１Ａ）、（４Ｂと４０１Ｂ）、（４Ｃと４０２Ｃ）、（４Ｄと４０２Ｄ）、（４Ｅと４０３Ｅ）、（４Ｆと４０３Ｆ）、（４Ｇと４０４Ｇ）、及び（４Ｈと４０４Ｈ）の各組のそれぞれが同時に昇降移動するように、各一対の案内部材どうしを互いに連結部材５２０Ａ〜５２０Ｈにより連結してある。これにより、案内部材（４Ａと４０１Ａ）、（４Ｂと４０１Ｂ）、（４Ｃと４０２Ｃ）、（４Ｄと４０２Ｄ）、（４Ｅと４０３Ｅ）、（４Ｆと４０３Ｆ）、（４Ｇと４０４Ｇ）、（４Ｈと４０４Ｈ）のうちのいずれかの案内部材の組が案内位置に下降することにより、上記実施形態と同様に、対応する各補給口３Ａ〜３ＨにメダルＭを案内することができる。なお、図８は、案内部材４Ｂと４０１Ｂが案内位置に下降した状態を破線で示している。そして、図７及び図８に示す案内部材は鉛直方向に昇降移動するように示してあるので、図４に示すクラッチバー１０Ａ〜１０Ｈが同図の右方向又は左方向に所定の距離だけ移動したときに、この移動を上下方向の移動に変更するための変換機構を設け、この変換機構を介して図７及び図８に示す案内部材を昇降させる必要がある。この場合は、引っ張りバネ６を省略する。また、図７に示す４０１Ａ、４０２Ｃ、４０３Ｅ、４０４Ｇは、第３の案内部材であり、４０１Ｂ、４０２Ｄ、４０３Ｆ、４０４Ｈは、第４の案内部材である。
なお、図７に示す連結部材５２０Ａと第１の案内部材４Ａとの結合を切離した構成にして、第３の案内部材４０１Ａを下降させたときに、連結部材５２０Ａの端部が第１の案内部材４Ａの上面を押圧してこの第１の案内部材４Ａを下降さて案内位置に移動させるようにしてもよい。そして、第３の案内部材４０１Ａが上昇するときは、第１の案内部材４Ａが例えばバネの力によって上昇させるようにしてもよい。これと同様に、連結部材５２０Ｂと第２の案内部材４Ｂとの結合を切離した構成にして、第２及び第４の案内部材４Ｂ、４０１Ｂを昇降させるようにする。
【００４７】
そして、図には示さないが、図７に示す第１〜第４の各案内部材４Ａ、４Ｂ、４０１Ａ、４０１Ｂが待機位置（上昇位置）にある状態で、第４の案内部材４０１Ｂを案内位置に下降させることにより、第４の案内部材４０１Ｂが第１と第３の各案内部材４Ａ、４０１Ａと係合してこれら第１と第３の案内部材４Ａ、４０１Ａを案内位置に下降させることができ、第４の案内部材４０１Ｂを案内位置から待機位置に上昇させることにより、例えばバネの力により第１と第３の案内部材４Ａ、４０１Ａを案内位置から待機位置に上昇させるようにしてもよい。
この際、図７に示す第１〜第４の各案内部材４Ａ、４Ｂ、４０１Ａ、４０１Ｂが待機位置にある状態で、第３の案内部材４０１Ａを案内位置に下降させることにより、第３の案内部材４０１Ａが第２と第４の各案内部材４Ｂ、４０１Ｂと係合してこれら第２と第４の案内部材４Ｂ、４０１Ｂを案内位置に下降させることができるようにし、第３の案内部材４０１Ａを案内位置から待機位置に上昇させることにより、例えばバネの力により第２と第４の案内部材４Ｂ、４０１Ｂを案内位置から待機位置に上昇させるようにする。
【００４８】
更に、上記実施形態の制御部１６は、或る遊技機等から補給信号を受信した時に、対応する案内部材を案内位置に移動させてその遊技機等にメダルＭを補給して、補給信号が停止した時からタイマ１９に予め設定されている時間が経過した後に、案内位置にある案内部材を待機位置に上昇させてメダルＭの補給を停止させたが、これに代えて、或る遊技機等から補給信号を受信した時に、対応する案内部材を案内位置に移動させてその遊技機等にメダルＭを補給して、このメダルＭの補給により補給信号が停止した時に、案内位置にある案内部材を待機位置に上昇させてメダルＭの補給を停止させてもよい。
【００４９】
そして、上記実施形態では、図９及び図１０に示すように、３枚のキープレート１３１〜１３３を、それぞれのキープレートと対応する第１〜第３ソレノイド１５１〜１５３により移動させて、クラッチバー１０Ａ〜１０Ｈのうちから１つのクラッチバーを選択する構成としたが、これに代えて、図１２に示すように、１つの切欠溝１３４ａを設けたキープレート１３４と、このキープレート１３４を矢印５２１の方向に進退移動させるためのステッピングモータ（図示せず）と、を備える構成としてもよい。切欠溝１３４ａは、上記実施形態と同様に、各クラッチバー１０の作用下縁５１６が進入可能な大きさ及び形状である。ステッピングモータは、例えば回転軸の先端部に雄ねじ（図示せず）を連結してあり、この雄ねじに雌ねじ（図示せず）を螺合させ、この雌ねじをキープレート１３４に結合してたものである。そして、選択するクラッチバー（案内部材）が決定すると、回転軸がその選択されたクラッチバーと対応する予め記憶されている所定の回転数だけ回転して停止するようになっている。そして、この回転軸の回転によって、選択しようとするクラッチバーの下方に切欠溝１３４ａが位置するように、このキープレート１３４を矢印５２１の方向に移動させて位置決めすることができる。このように、切欠溝１３４ａの位置決めが終了すると、上記実施形態と同様に、作動機構部５１１を正転方向５１８に回転させることにより、対応する案内部材を案内位置に下降させることができる。
【００５０】
また、図９及び図１０に示す３枚のキープレート（選択部材）１３１〜１３３と、それぞれのキープレートを移動させるための第１〜第３ソレノイド（選択駆動手段）１５１〜１５３と、の構成に代えて、図１３に示すように、ドラム（選択部材）２１と、このドラム２１を矢印の方向に回動させるためのステッピングモータ（選択駆動手段）２０と、を備える構成としてもよい。ドラム２１は、外周面に円周方向に沿って８つの切欠溝２１ａ〜２１ｈを設けてある。この８つの切欠溝２１ａ〜２１ｈは、それぞれが略同じ長さであり、ドラム２１の中心軸の方向に対して互いに所定の一定の間隔（図９及び図１２に示す互いに隣合うクラッチバー１０Ａ〜１０Ｈの間隔と等しい間隔）を隔てて形成してあって、ドラム２１の周方向の互いに異なる角度範囲に亘って形成してある。また、各切欠溝２１ａ〜２１ｈは、上記実施形態と同様に、各クラッチバー１０の作用下縁５１６が進入可能な大きさ及び形状である。ステッピングモータ２０は、その回転軸にドラム２１を連結してあり、選択するクラッチバー（案内部材）が決定すると、回転軸がその選択されたクラッチバーと対応する予め記憶されている所定の角度だけ回転して停止するようになっている。そして、この回転軸の回転によって、選択しようとするクラッチバー（例えば１０Ａ）の下方に切欠溝２１ａ〜２１ｈのうちの対応する切欠溝（例えば２１ａ）が位置するように、ドラム２１を矢印の方向に回転させて位置決めすることができる。このように、切欠溝の位置決めが終了すると、上記実施形態と同様に、作動機構部５１１を正転方向５１８に回転させることにより、対応する案内部材を案内位置に下降させることができる。このように、図１２に示すキープレート１３４、又は図１３に示すドラム２１を選択部材として採用することにより、１つの選択部材と１台の選択駆動手段（ステッピングモータ）で済むので、簡単な機械的構造、及び電気的回路で済む。
【００５１】
更に、上記実施形態の選択手段、選択駆動手段、及び案内駆動手段は、図１４及び図１５に示す構成としてもよい。図１４に示す２２はモータ台である。モータ台２２は、搬送方向１ａに対して直交する水平方向に、レール５２２に沿って移動自在である。そして、レール５２２に平行させてラック５２３を機枠５０２に設けてある。また、モータ台２２上にステッピングモータ２０を設けてあり、その回転軸に設けてあるピニオン５２４がラック５２３と噛み合っている。更に、モータ台２２上にはモータ５２６を設けてあり、このモータ５２６の回転軸にはキー部材２３を設けてある。このキー部材２３には、連結ピン５２５を設けてある。更に、各クラッチバー１０（１０Ａ〜１０Ｈ）の先端部にはそれぞれ係合部５２７を設けてある。
モータ台２２、レール５２２、ラック５２３、及びピニオン５２４等は、選択手段を構成しており、ステッピングモータ２０は選択駆動手段を構成しており、モータ５２６は案内駆動手段を構成している。これ以外は、上記実施形態と同等である。
【００５２】
上記のように構成された選択手段、選択駆動手段、及び案内駆動手段によると、今、選択するクラッチバー（案内部材）が決定すると、ステッピングモータ２０の回転軸がその選択されたクラッチバーと対応する予め記憶されている所定の角度だけ回転して停止するようになっている。そして、このステッピングモータ２０の回転軸の回転によって、図１５に示すように、選択しようとするクラッチバー（例えば１０Ａ）の先端部の係合部５２７の下方に、連結ピン５２５が位置するように、モータ台２２をレール５２２に沿って移動させて位置決めすることができる。このように、連結ピン５２５の位置決めが終了すると、図１５の破線で示すように、モータ５２６が連結ピン５２５を所定の角度だけ時計方向に回転させて、その選択されたクラッチバー（例えば１０Ａ）を上記実施形態と同様に、所定の距離だけ引っ張って、対応する案内部材を案内位置に下降させることができる。
【００５３】
そして、上記実施形態において、選択手段、選択駆動手段、及び案内駆動手段に代えて、図１６及び図１７に示す選択手段、選択駆動手段、及び案内付勢手段を設けた構成の実施形態としてもよい。この実施形態の遊技媒体補給装置は、４つの補給口３Ａ〜３Ｄのうち、補給信号を発信した遊技機等に対応する補給口にメダルＭを補給することができるものであり、各案内部材４Ａ〜４Ｄと連結するクラッチバー１０Ａ〜１０Ｄを図１６及び図１７に示してある。そして、これら４本のクラッチバー１０Ａ〜１０Ｄは、図には示さないが、それぞれに案内付勢手段である引っ張りバネを設けてあり、各引っ張りバネにより図１６の右方向（搬送方向１ａ）にそれぞれが独立して付勢されている。そして、各クラッチバー１０Ａ〜１０Ｄの搬送方向１ａの移動は、選択手段である２枚のキープレート１３５、１３６と当接して係止されている。
キープレート１３５は、図１７に示すように、切欠溝１３５ａ、１３５ｂ、１３５ｃを設けてあり、キープレート１３６は、同図に示すように、切欠溝１３６ａ、１３６ｂ、１３６ｃを設けてある。各切欠溝は、クラッチバーの先端部が進入可能な形状及び大きさに形成してある。
選択駆動手段は、２つのソレノイド（１５５、１５６）から成っており、各ソレノイド（１５５、１５６）の摺動軸がそれぞれと対応するキープレート（１３５、１３６）と連結している。そして、各ソレノイド（１５５、１５６）をＯＮ、ＯＦＦさせることによって、対応して連結するキープレート（１３５、１３６）をそれぞれ別々に各キープレートと平行する方向であって、水平方向に、前進位置（ＯＮ位置）と後退位置（ＯＦＦ位置）に進退移動させて、キープレート（１３５、１３６）を各位置で位置決めすることができるようになっている。このキープレート（１３５、１３６）が進退する移動距離は、各クラッチバー１０Ａ〜１０Ｄがキープレート（１３５、１３６）の切欠溝又は溝の外側の外縁部と対応する位置にある状態から、隣接する外縁部又は切欠溝と対応する位置に移動させることができる距離である。ただし、互いに隣合うクラッチバーＡ〜Ｄのそれぞれの間隔は同一である。また、各切欠溝１３５ａ、１３５ｂ、１３５ｃ、１３６ａ、１３６ｂ、１３６ｃには、傾斜縁５２９を設けてある。各傾斜縁５２９は、キープレート（１３５、１３６）が進退移動するときに、各クラッチバー１０Ａ〜１０Ｄの作用先端部５２８をこの傾斜縁５２９によりスムースに案内して、切欠溝と外縁部との間を確実に移動させるためのものである。
【００５４】
図１６に示す状態は、クラッチバー１０Ａが案内付勢手段により搬送方向１ａに引っ張られてそのクラッチバー１０Ａの作用先端部５２８が切欠溝１３５ａと１３６ａ内に進入しており、クラッチバー１０Ａを搬送方向１ａに所定の距離だけ引っ張った状態となっている。そして、他のクラッチバー１０Ｂ、１０Ｃ、及び１０Ｄの作用先端部５２８は、キープレート１３５、１３６のクラッチバー側の外縁部に当接しており、クラッチバー１０Ｂ、１０Ｃ、及び１０Ｄを搬送方向１ａに引っ張っていない状態となっている。この状態では、上記実施形態と同様に、案内部材（４Ａ、４０１）が案内位置に下降しており、案内部材４Ｂ、及び（４Ｃ、４Ｄ、４０２）が待機位置に上昇している。これにより、ベルトコンベア２により搬送されてくるメダルＭを補給口３Ａに案内してこの補給口３Ａと対応する遊技機等にメダルＭを補給することができる。
【００５５】
また、例えば図１７に示すソレノイド１５５をＯＦＦ、ソレノイド１５６をＯＮにすると、クラッチバー１０Ｃの作用先端部５２８が切欠溝１３５ｂと１３６ｂ内に進入し、クラッチバー１０Ｃを搬送方向１ａに所定の距離だけ引っ張った状態となっている。そして、他のクラッチバー１０Ａ、１０Ｂ、及び１０Ｄの作用先端部５２８は、キープレート１３５、１３６のクラッチバー側の外縁部に当接し、クラッチバー１０Ａ、１０Ｂ、及び１０Ｄを搬送方向１ａに引っ張っていない状態となる。この状態では、上記実施形態と同様に、案内部材（４Ｃ、４０２）が案内位置に下降しており、案内部材（４Ａ、４Ｂ、４０１）、及び４Ｄが待機位置に上昇している。これにより、ベルトコンベア２により搬送されてくるメダルＭを補給口３Ｃに案内してこの補給口３Ｃと対応する遊技機等にメダルＭを補給することができる。
【００５６】
図１６及び図１７に示す構成の遊技媒体補給装置によると、ソレノイド１５５、１５６がキープレート１３５、１３６を動作させることにより、メダルＭを補給しようとする補給口（例えば補給口３Ａ）と対応する案内部材（例えば案内部材４Ａと連結するクラッチバー１０Ａ）を選択することができ、選択されなかった残りの案内部材（例えば案内部材４Ｂ、４Ｃ、４Ｄ）をキープレート１３５、１３６により待機位置に保持することができる。このように、このキープレート１３５、１３６及びソレノイド１５５、１５６は、選択されなかった案内部材を待機位置に保持するために共用されているので、各案内部材ごとにキープレート１３５、１３６及びソレノイド１５５、１５６を設ける必要がない。従って、上記実施形態と同様に、この遊技媒体補給装置の機械的構造及び電気回路を簡単なものにすることができる。そして、案内駆動手段であるモータ９の代わりに案内付勢手段としてバネを設ければよく、上記実施形態と比較して、電気回路を簡単にすることができる。
【００５７】
そして、図１２に示す例では、補給信号が発信されて選択する案内部材（クラッチバー）が決定したときに、ステッピングモータを駆動してキープレート１３４を矢印５２１の方向に前進又は後退移動させ、切欠溝１３４ａをその選択しようとするクラッチバー（例えばクラッチバー１０Ｈ）の下方位置に位置決めして、図４に示す作動機構部５１１を正転方向に回転させることによりクラッチバー（例えばクラッチバー１０Ｈ）の作用下縁５１６を切欠溝１３４ａ内に落ち込ませ、これによりクラッチバーを選択する構成としたが、これに代えて、図には示さないが、例えば上縁部に１つの凸部を設けたキープレートを使用して所望のクラッチバーを選択するようにしてもよい。つまり、補給信号が発信されて選択する案内部材（クラッチバー）が決定したときに、ステッピングモータを駆動してキープレートを矢印５２１の方向に前進又は後退移動させ、凸部をその選択しようとするクラッチバー（例えばクラッチバー１０Ｈ）の下方位置に位置決めして、図４に示す作動機構部５１１を正転方向に回転させることによりクラッチバー（例えばクラッチバー１０Ｈ）の作用下縁５１６が凸部の上縁に当接する状態となる。ただし、これ以外のクラッチバーは凸部と当接せずに凸部の上縁よりも下方の下降位置に下降する状態となる。これにより、その凸部と当接するクラッチバーを選択することができる。この状態で作動機構部５１１をの回転を停止させて、別に設けた駆動装置によりこの選択したクラッチバー（例えばクラッチバー１０Ｈ）を搬送方向１ａに所定の距離だけ引っ張るようにする。
【００５８】
また、図１６に示す例では、４本のクラッチバー１０Ａ〜１０Ｄがそれぞれ独立して引っ張りバネにより搬送方向１ａに付勢されており、この搬送方向１ａの移動が選択手段である２枚のキープレート１３５、１３６と当接して係止されている。そして、図１６に示すように２枚のキープレート１３５、１３６の２つの切欠溝を重ね合わせた状態にすることにより所望のクラッチバーの先端部を溝に進入させ、これによりそのクラッチバーを選択する構成としたが、これに代えて例えばクラッチバーに向かう側の縁部に１つの凸部を設けた１枚のキープレートを使用して所望のクラッチバーを選択するようにしてもよい。つまり、補給信号が発信されて選択する案内部材（クラッチバー）が決定したときに、ステッピングモータを駆動してこのキープレートを搬送方向１ａと直交する水平方向に前進又は後退移動させ、凸部をその選択しようとするクラッチバー（例えばクラッチバー１０Ａ）の右側位置（図１６参照）に位置決めすることによりクラッチバー（例えばクラッチバー１０Ａ）の先端部を凸部の先端縁に当接させる。ただし、これ以外のクラッチバーは凸部と当接せずに凸部の先端縁よりも右側の位置に移動する。これにより、その凸部と当接するクラッチバーを選択することができる。ところで、この選択されたクラッチバーは、選択されていない他の３本のクラッチバーと比較して、凸部により図１６において左側に押された状態となっており、この状態でこの選択されたクラッチバー（例えばクラッチバー１０Ａ）と連結する案内部材（例えば案内部材４Ａ、４０１）が案内位置に下降し、選択されていない案内部材（例えば４Ｂ、（４Ｃ、４Ｄ、４０２））が待機位置に上昇するようにリンク機構を設けた構成とする必要がある。
【００５９】
更に、上記実施形態では、遊技媒体としてメダルＭを例に挙げたが、パチンコ玉を遊技機等に補給するための装置に本発明を適用してもよい。
【００６０】
【発明の効果】
第１の発明によると、案内部材を下降させる距離は、搬送路上の遊技媒体よりも少し高い高さに相当する移動距離であるが、この移動距離は、図１８に示す従来の遊技媒体補給装置の案内部材の先端の円周方向の移動距離と比較して短い距離であるので、従来のものよりも故障が少なく、簡単な構造であって、低廉な案内部材の動作機構を遊技媒体補給装置に適用することができる。
そして、第１と第３の案内部は、平面方向から見て第２と第４の案内部に対して交差しているので、図１９に示す従来の遊技媒体補給装置のように、第１と第２の補給口を、搬送方向に互いに間隔を隔てて設ける必要がなく、搬送路の両側部に互いに対向して設けることができ、補給口の設計、及び施工の簡単化を図ることができる。
【００６１】
第２の発明によると、第１の案内部材と第３の案内部材が連動して待機位置と案内位置の間を移動し、第２の案内部材と第４の案内部材が連動することにより、両者が待機位置と案内位置の間を移動する。従って、第１〜第４の各案内部材を動作させるための機構の選択の幅を広げることができるので、遊技機や遊技媒体貸機等の構造やレイアウトに応じてこの遊技媒体補給装置を自由に適応することができ、第１〜第４の各案内部材を動作させるための機構の簡単化を図ることができる。
【００６２】
第３の発明によると、第１の案内部材と第３の案内部材が案内位置に移動したとき、第４の案内部材が、待機位置又は案内位置のどちらにあったとしても、第１の案内部材と第３の案内部材が遊技媒体を第１の補給口に導くことに何ら作用することが無く、また、第２の案内部材と第４の案内部材が案内位置に移動したとき、第３の案内部材が、待機位置又は案内位置のどちらにあったとしても、第２の案内部材と第４の案内部材が遊技媒体を第２の補給口に導くことに何ら作用することが無いため、第３の案内部材と第４の案内部材を互いに結合することができ、両者が分離している場合と比較して、第３の案内部材及び第４の案内部材を支持し、動作させるための機構の簡単化を図ることができる。
【００６３】
第４の発明によると、第１の案内部材が動作したときにその動作に連動して第３の案内部材が動作して、両者が待機位置と案内位置との間を移動し、第２の案内部材が動作したときにその動作に連動して第４の案内部材が動作して、両者が待機位置と案内位置との間を移動する。従って、第３及び第４のそれぞれの案内部材をそれぞれと対応する第１及び第２の案内部材とは別々に動作させる場合と比較して、第１〜第４の各案内部材を動作させるための機構の簡単化を図ることができる。
【００６４】
第５の発明によると、第１の案内部材が第３の案内部材に係合して第３の案内部材を案内位置に移動させ、そして、第２の案内部材が第４の案内部材に係合して第４の案内部材を案内位置に移動させることができる。このように、第３の案内部材を第１の案内部材に連動させて移動させる構成、及び第４の案内部材を第２の案内部材に連動させて移動させる構成のそれぞれが簡単であり、確実に第３及び第４の案内部材を案内位置に移動させることができる。
【００６５】
第６の発明によると、第３の案内部材と第４の案内部材が互いに分離した構成とすることにより、遊技媒体を第１の補給口に導くための第１及び第３の案内部材のうちのいずれか一方、又は予め定めた一方の動作によって、第１及び第３の案内部材の両者を待機位置と案内位置との間を移動させることができ、遊技媒体を第２の補給口に導くための第２及び第４の案内部材のうちのいずれか一方、又は予め定めた一方の動作によって、第２及び第４の案内部材の両者を待機位置と案内位置との間を移動させることができる。従って、第１〜第４の各案内部材を動作させるための機構の選択の幅を広げることができるので、遊技機や遊技媒体貸機等の構造やレイアウトに応じてこの遊技媒体補給装置を自由に適応することができる。
【図面の簡単な説明】
【図１】この発明の一実施形態に係る遊技媒体補給装置の部分平面図である。
【図２】同実施形態の遊技媒体補給装置の部分縦断面図である。
【図３】同実施形態の遊技媒体補給装置の概略平面図である。
【図４】同実施形態の案内部材、キープレート、及び作動機構部の動作を示す部分縦断面図である。
【図５】同実施形態の案内部材の拡大平面図である。
【図６】同実施形態の案内部材の待機位置と案内位置を示す拡大正面図である。
【図７】同発明の案内部材の他の例を示す拡大平面図である。
【図８】図７に示す案内部材の待機位置と案内位置を示す拡大正面図である。
【図９】同実施形態のキープレートの形状、及びキープレートとクラッチバーの位置関係を示す図である。
【図１０】同実施形態の第１〜第３ソレノイドを動作させるための組合わせ信号とクラッチバーとの関係を示す図である。
【図１１】同実施形態の遊技媒体補給装置の電気回路を示すブロック図である。
【図１２】同発明の選択部材の他の第１の例を示す図である。
【図１３】同発明の選択部材の他の第２の例を示す図である。
【図１４】同発明の選択手段、選択駆動手段、及び案内駆動手段の他の例を示す平面図である。
【図１５】図１４に示す案内駆動手段の拡大正面図である。
【図１６】本発明の案内付勢手段を備える遊技媒体補給装置の一例を示す平面図である。
【図１７】図１６に示す遊技媒体補給装置に設けられているキープレートの形状、及びキープレートとクラッチバーの位置関係を示す図である。
【図１８】従来の遊技媒体補給装置の平面図である。
【図１９】従来の他の遊技媒体補給装置の平面図である。
【図２０】図１９に示す従来の遊技媒体補給装置に設けられているゲート駆動機構を示す部分拡大正面図である。
【符号の説明】
Ｍ  メダル
１  搬送路
１ａ  搬送方向
２  ベルトコンベア
３（３Ａ〜３Ｈ）  補給口
４（４Ａ〜４Ｈ）  案内部材
４０１、４０２、４０３、４０４  中央案内部材
６  引っ張りバネ
７（７Ａ〜７Ｈ）  係合部材
８（８Ａ〜８Ｈ）  リンクバー
９  案内駆動モータ
１０（１０Ａ〜１０Ｈ）  クラッチバー
１１（１１Ａ〜１１Ｈ）  引っ張りバネ
１３（１３１、１３２、１３３）  キープレート
１５１  第１ソレノイド
１５２  第２ソレノイド
１５３  第３ソレノイド
１６  制御部
【図１】
0004454804.tif 000002
【図２】
0004454804.tif 000003
【図３】
0004454804.tif 000004
【図４】
0004454804.tif 000005
【図５】
0004454804.tif 000006
【図６】
0004454804.tif 000007
【図７】
0004454804.tif 000008
【図８】
0004454804.tif 000009
【図９】
0004454804.tif 000010
【図１０】
0004454804.tif 000011
【図１１】
0004454804.tif 000012
【図１２】
0004454804.tif 000013
【図１３】
0004454804.tif 000014
【図１４】
0004454804.tif 000015
【図１５】
0004454804.tif 000016
【図１６】
0004454804.tif 000017
【図１７】
0004454804.tif 000018
【図１８】
0004454804.tif 000019
【図１９】
0004454804.tif 000020
【図２０】
0004454804.tif 000021